(57)【要約】【課題】遠制開閉器の制御装置等の点検対象機器を作業性よく点検することができ、かつ、ノイズを拾いにくく安定化した表示が短時間で得られる点検方法を提供する。【解決手段】点検用コネクタＣの基被嵌端子１３，１４をテスターＴの接触端子８，９に被嵌接続するステップｓ１と、先被嵌端子１５，１６を点検対象機器５の端子６，７に被嵌接続するステップｓ２と、テスターＴの電源入力スイッチをオン操作するステップｓ３と、テスターＴの電圧レンジを調整するステップｓ４と、テスターＴを測定モードに設定するステップｓ５と、テスターＴの電圧表示を読み取るステップｓ６と、を備える。【選択図】  図１
2006324165.tif 000002
【特許請求の範囲】
【請求項１】
リード線（１１）（１２）の一端に、テスター（Ｔ）の接触端子（８）（９）に対して外部と絶縁状態で被嵌接続させる基被嵌端子（１３）（１４）を設け、前記リード線（１１）（１２）の他端に、点検対象機器（５）の端子（６）（７）に対して外部と絶縁状態で被嵌接続させる先被嵌端子（１５）（１６）を設けてなることを特徴とする点検用コネクタ。
【請求項２】
請求項１に記載の点検用コネクタ（Ｃ）を用いた点検方法であって、
前記基被嵌端子（１３）（１４）を前記テスター（Ｔ）の接触端子（８）（９）に被嵌接続するステップ（ｓ１）と、
前記先被嵌端子（１５）（１６）を点検対象機器（５）の端子（６）（７）に被嵌接続するステップ（ｓ２）と、
前記テスター（Ｔ）の電源入力スイッチをオン操作するステップ（ｓ３）と、
前記テスター（Ｔ）の電圧レンジを調整するステップ（ｓ４）と、
前記テスター（Ｔ）を測定モードに設定するステップ（ｓ５）と、
前記テスター（Ｔ）の電圧表示を読み取るステップ（ｓ６）と、を備えたことを特徴とする点検方法。
【発明の詳細な説明】
【技術分野】
【０００１】
本発明は、例えば、柱上に設けられた遠制開閉器の制御装置（遠制子局）を点検する際に使用する点検用コネクタ及びそのコネクタを用いた点検方法に関する。
【背景技術】
【０００２】
高圧配電線路に施設される遠制開閉器は、遠制子局を介して営業所（遠制親局）からの遠隔制御によって電力系統を制御する。この遠制子局は、遠制開閉器の入切制御のほか，停電情報や配電系統の接続情報等を得るために施設されている。必要に応じて機器（遠制子局）の状態をテスター（電圧計）によって点検するが、その遠制子局は柱上に設けられているため、その点検作業はいわゆる柱上作業となる。
【０００３】
従来では、遠制開閉器の制御装置近傍に配置した足場上の作業者がテスターを持って片方の手でテスターの電圧レンジを調整し、もう一方の手で接触端子を遠制開閉器の端子に押し当てて、デジタル表示（又は指針）を確認することで信号電圧を測定していた。例えば、図４に示すように、テスターＴの本体１には、電圧レンジを調整するためのダイヤル２が設けられる一方、テスター本体１に接続したリード線コネクタ３，４の先端には、遠制開閉器の制御装置（点検対象機器）５の端子６，７に押し当てるための２本の接触端子８，９が設けられている。なお、テスターＴの本体１には、ダイヤル２や電圧を表示するデジタル表示盤１０の他、電源スイッチや測定モードを設定するためのスイッチ等々が設けられている。
【０００４】
このようなテスターにより、具体的には、例えば、図５のフローチャートに示すような操作手順で点検が行われていた。即ち、まず、テスターＴの電源スイッチを入れる（ｓ１１）。次いで、テスターＴの電圧レンジを調整する（ｓ１２）。そして、測定モードを記録モードに設定し（ｓ１３）、接触端子８，９を遠制開閉器の制御装置５の端子６，７に押し当て（ｓ１４）、表示された数値を読み取る（ｓ１５）ように行われていた。
【発明の開示】
【発明が解決しようとする課題】
【０００５】
上述のように、テスターＴを用いた従来の点検作業は、作業者が柱上で半ば両手塞がりの状態で行われるため、作業性がよくなかった。また、テスターＴの接触端子８，９を遠制開閉器の制御装置５の端子６，７に押し当てて信号電圧を測定するため接触抵抗が微妙に変化し、デジタル表示が安定化するまでにかなりの時間を要していた。つまり、ｓ１４からｓ１５に至るまでにかなりの時間を要することがあった。また、点検時にテスターの接触端子８，９が露出しているためノイズを拾いやすく、時間をかけてもデジタル表示が安定化せず精度の高い測定ができないこともあった。
【０００６】
本発明は、このような実情に鑑みてなされ、遠制開閉器の制御装置等の点検対象機器を作業性よく点検することができ、かつ、ノイズを拾いにくく安定化した表示が短時間で得られる点検用コネクタ及び点検方法を提供することを目的とする。
【課題を解決するための手段】
【０００７】
（１）本発明の点検用コネクタは、リード線１１，１２の一端に、テスターＴの接触端子８，９に対して外部と絶縁状態で被嵌接続させる基被嵌端子１３，１４を設け、前記リード線１１，１２の他端に、点検対象機器５の端子６，７に対して外部と絶縁状態で被嵌接続させる先被嵌端子１５，１６を設けてなることを特徴とする。
【０００８】
このような構成によれば、リード線１１，１２の一端に設けた基被嵌端子１３，１４がテスターＴの接触端子８，９に対して外部と絶縁状態で被嵌接続され、前記リード線１１，１２の他端に設けた先被嵌端子１５，１６が点検対象機器５の端子６，７に対して外部と絶縁状態で被嵌接続されるため、端子接続部での端子同士の接触面積が大となり電気抵抗値が小さくなり、かつ、その接触状態が安定化する。また、外部と絶縁状態としたので、ノイズを排除することができる。従って、安定したノイズのない信頼性の高い信号電圧を迅速に読み取ることができる。また、リード線１１，１２の基被嵌端子１３，１４と先被嵌端子１５，１６を、テスターＴの接触端子８，９と点検対象機器５の端子６，７に対して安定に固定できるため、作業者の点検作業が容易となり、特に、柱上での作業性が顕著に向上する。
【０００９】
（２）本発明の点検方法は、前記（１）項に記載の点検用コネクタＣを用いた点検方法であって、
前記基被嵌端子１３，１４を前記テスターＴの接触端子８，９に被嵌接続するステップｓ１と、
前記先被嵌端子１５，１６を点検対象機器５の端子６，７に被嵌接続するステップｓ２と、
前記テスターＴの電源入力スイッチをオン操作するステップｓ３と、
前記テスターＴの電圧レンジを調整するステップｓ４と、
前記テスターＴを測定モードに設定するステップｓ５と、
前記テスターＴの電圧表示を読み取るステップｓ６と、を備えている。
【００１０】
このような方法によれば、まず、ステップｓ１，２において、リード線１１，１２の基被嵌端子１３，１４と先被嵌端子１５，１６を、テスターＴの接触端子８，９と点検対象機器５の端子６，７に対して安定な状態で固定できるため、以後の作業者の点検作業が容易となり、特に、柱上での作業性が顕著に向上する。そして、リード線１１，１２を介してテスターＴと点検対象機器５が安定な接続状態になった後に、テスターＴの電源入力スイッチをオン操作するので、電圧表示が直ちに安定化し、トータルでの測定時間が従来よりも短くて済み、測定精度の信頼性も向上する。なお、ステップｓ２をステップｓ１の前に行ってもよい。
【発明の効果】
【００１１】
本発明の点検用コネクタは、リード線の一端に設けた基被嵌端子がテスターの接触端子に対して外部と絶縁状態で被嵌接続され、前記リード線の他端に設けた先被嵌端子が点検対象機器の端子に対して外部と絶縁状態で被嵌接続されるので、端子接続部での端子同士の接触面積が大となり電気抵抗値が小さくなり、かつ、その接触状態が安定化すると共に、外部と絶縁状態としたので、ノイズを排除することもできる。従って、安定したノイズのない信頼性の高い信号電圧を迅速に読み取ることができる。また、リード線の基被嵌端子と先被嵌端子をテスターの接触端子と点検対象機器の端子に対して安定に固定できるので、作業者の点検作業が容易となり、特に柱上での作業性が顕著に向上する。
【００１２】
本発明の点検方法は、まず、ステップｓ１，２において、リード線の基被嵌端子と先被嵌端子を、テスターの接触端子と点検対象機器の端子に対して安定な状態で固定するので、以後の作業者の点検作業が容易となり、特に、柱上での作業性が顕著に向上する。そして、リード線を介してテスターと点検対象機器が安定な接続状態になった後に、テスターの電源入力スイッチをオン操作するので、電圧表示が直ちに安定化し、トータルでの測定時間が従来よりも短くて済み、測定精度の信頼性も向上する。
【発明を実施するための最良の形態】
【００１３】
以下に、本発明の実施の形態に係る点検用コネクタ及び点検方法について図面を参照しつつ詳細に説明する。
図１は、点検用コネクタの接続対応説明図、図２は点検用コネクタの要部断面図である。この点検用コネクタＣは、図１に示すように、２本のリード線１１，１２の一端に、テスターＴの接触端子８，９に対して外部と絶縁状態で被嵌接続させる基被嵌端子１３，１４を設け、リード線１１，１２の他端に、点検対象機器（例えば、遠制開閉器の制御装置）５の端子６，７に対して外部と絶縁状態で被嵌接続させる先被嵌端子１５，１６を設けている。なお、テスターＴは、接触端子８（９）を有する従来と同じものを使用している。
【００１４】
その基被嵌端子１３（１４）は（図２参照）、テスターＴの接触端子８（９）を弾発力により挟み付けるコンタクト１３ａ（１４ａ）が、絶縁性樹脂材からなるハウジング１３ｂ（１４ｂ）内に装入されてなり、そのコンタクト１３ａ（１４ａ）の基部には、リード線１１（１２）の一端が接続されている。また、そのハウジング１３ｂ（１４ｂ）の先端側には絶縁性樹脂材からなる半透明な絶縁フード１３ｃ（１４ｃ）が被嵌接続されている。従って、テスターＴの接触端子８（９）にコンタクト１３ａ（１４ａ）が被嵌した状態では、接続部が外部と絶縁状態に遮断される。
【００１５】
一方、先被嵌端子１５（１６）は（図２参照）、例えば、遠制開閉器の制御装置等の点検対象機器５の端子６（７）を弾発力により挟み付けるコンタクト１５ａ（１６ａ）が、絶縁性樹脂材からなるハウジング１５ｂ（１６ｂ）内に装入されてなり、そのコンタクト１５ａ（１６ａ）の基部には、リード線１１（１２）の他端が接続されている。点検対象機器５の端子６（７）にコンタクト１５ａ（１６ａ）が被嵌した状態では、ハウジング１５ｂ（１６ｂ）によって、接続部が外部と絶縁状態に遮断される。
【００１６】
以上のような構成によれば、端子同士８（９）と１３（１４）及び６（７）と１５（１６）の接触面積が大となるため、従来（点接触式）よりも電気抵抗値がはるかに小さくなる。また、その接触状態が安定化する。さらに、端子接続部が外部と絶縁状態とされるため、ノイズを排除することができる。従って、安定したノイズのない信頼性の高い信号電圧を迅速に読み取ることができる。また、リード線１１，１２の両端子１３，１４と１５，１６をテスターＴの接触端子８，９と点検対象機器５の端子６，７に対して安定に固定しておけるため作業者の点検作業が容易となり、特に柱上での作業性が顕著に向上する。
【００１７】
次いで、このような点検用コネクタＣを用いた点検方法について、図３のフローチャートに基づいて説明する。
（１）基被嵌端子１３，１４をテスターの接触端子８，９に被嵌接続する（ｓ１）。
（２）先被嵌端子１５，１６を点検対象機器５の端子６，７に被嵌接続する（ｓ２）。
（３）テスターＴの電源入力スイッチをオン操作する（ｓ３）。
（４）テスターＴのダイヤル２を操作して電圧レンジを調整する（ｓ４）。
（５）テスターＴを記録モード（測定モード）に設定する（ｓ５）。
（６）テスターＴのデジタル表示盤１０の電圧の指示値を読み取る（ｓ６）。
【００１８】
このような方法によれば、まず、ステップｓ１，ｓ２において、リード線１１，１２の基被嵌端子１３，１４と先被嵌端子１５，１６を、テスターＴの接触端子８，９と点検対象機器５の端子６，７に対して安定な状態で固定できるため、以後の作業者の点検作業が容易となり、特に、柱上での作業性が顕著に向上する。そして、リード線１１，１２を介してテスターＴと点検対象機器５が安定な接続状態になった後に、テスターＴの電源入力スイッチをオン操作するので、電圧表示が直ちに安定化し、トータルでの測定時間が従来よりも短くて済み、測定精度の信頼性も向上する。なお、ステップｓ２をステップｓ１の前に行ってもよい。また、「記録モード」の設定がない機種であれば、ステップｓ５にて「読取モード」で測定値を読み取ってもよい。
【００１９】
なお、本発明は、実施の形態に限定されることなく、発明の要旨を逸脱しない限りにおいて、適宜、必要に応じて、設計変更や改良等を行うのは自由であり、また、点検対象も遠制開閉器の制御装置に限定されることなく、各種の監視対象機器やその他の電気系統にも適用できる。さらに、柱上作業に限定されることなく、地上での点検作業であってもよいのは言うまでもない。
【図面の簡単な説明】
【００２０】
【図１】本発明の点検用コネクタの接続対応説明図である。
【図２】同点検用コネクタの要部断面図である。
【図３】同点検方法を説明するためのフローチャートである。
【図４】従来のテスターを用いた点検方法の説明図である。
【図５】同点検方法を説明するためのフローチャートである。
【符号の説明】
【００２１】
５…点検対象機器、６，７…端子，８，９…接触端子、１１，１２…リード線、１３，１４…基被嵌端子、１５，１６…先被嵌端子、Ｔ…テスター
【図１】
2006324165.tif 000003
【図２】
2006324165.tif 000004
【図３】
2006324165.tif 000005
【図４】
2006324165.tif 000006
【図５】
2006324165.tif 000007